(57)【要約】【課題】非対称運動用衣服およびその使用方法の提供。【解決手段】本発明は、非対称の運動動作中に競技者の動きをサポートする衣服および方法に関する。着用者の身体の少なくとも一部のための非対称衣服例は、第１材料部分および第２材料部分を含み、第１材料部分および第２材料部分は、衣服の中心垂直平面に対して非対称に配置され、第２材料は、第１材料より伸張またはねじれのうちの少なくとも一方に対して小さい抵抗を提供し、それにより非対称の運動動作中に着用者の動きに対する抵抗を低減するように適合されている。【選択図】図２Ａ
2018111915.tif 000002
【特許請求の範囲】
【請求項１】
明細書に記載された発明。
【発明の詳細な説明】
【技術分野】
【０００１】
関連出願の相互参照
この出願は、２０１２年２月２１日に出願された米国仮特許出願第６１／６０１，２５
２号明細書に対する優先権およびその利益を主張し、その開示内容は全体として参照によ
り本明細書に組み込まれる。
【０００２】
本発明は、概して、運動用衣服の分野に関し、より詳細には、非対称な運動動作中に競
技者の動きをサポートする衣服に関する。
【背景技術】
【０００３】
運動活動中に競技者が行う多くの動きは、それらの行為が競技者の左側および右側の両
方によって同様に行われるため、本質的にある程度対称であるとみなされ得る。たとえば
、ランニング、スケーティング、サイクリングまたは一直線にカヤックをこぐ等の行為は
、競技者の左側および右側による（鏡像の場合もあるが）同様の動きを伴い、概して、各
動きによって競技者の各側によって実質的に同じ範囲の動きおよび力が発生する。
【０００４】
しかしながら、多数のスポーツが、行われる際に非常に非対称であるとみなすことがで
きる動作を含む。それは、たとえば、競技者の主に利き手によってまたは利き手のみによ
って、それら動作が行われるかまたは制御され、かつ／または厳密に非対称に行われる可
能性があるためである。
たとえば、アイスホッケー選手は、シュートする時、一般に、左打ちまたは右打ちのい
ずれかでしかパックを打たない。また、ゴルファーは、一般に、左打ちまたは右打ちのい
ずれかとしてしかスイングを行なない。また、野球のバッターの大部分は、一般に、左打
ちまたは右打ちのいずれかとしてしかバットを振らない。また、ラケットスポーツ選手は
、一般に、自身のラケットを自身の利き手でしか保持および／または制御しない。また、
スピードスケート選手は、トラックを回る時、一方の腕のみを振る傾向がある。また、サ
ッカー選手は、ボールを蹴る時、一方の脚を他方の脚より多く使用する場合が多い。また
、アメリカンフットボールのパンターおよびキッカーは、一般に、自身の効き脚でしかボ
ールを蹴らない。また、アメリカンフットボールのクォーターバックならびに野球および
ソフトボールのピッチャーは、一般に、自身の利き腕でしか投げない。非対称な運動の動
きの例を、図１Ａ〜図１Ｄに見ることができる。
【０００５】
すべてのこれらの非対称の運動の動きおよび活動に対して、一般に対称に製作されてい
る（すなわち、左側および右側の両方が同じ材料、縫合およびデザインで製造されている
）、競技者が従来着用する衣服は、着用者の非対称の動きを制限するかまたは他の方法で
その動きに対して反対に作用する可能性がある。
たとえば、対称構造であることに起因して、アイスホッケー選手が着用するシャツは、
左利き選手または右利き選手のいずれによってもパックを繰返し打つのをサポートするこ
とに対して、最適に伸張および変形しない可能性がある。
実際に、非対称型動作を行っている競技者の所定の繰り返される動きを考慮しないこと
により、従来の衣服は、実際には、（たとえば、非対称動作によって発生する衣服の所定
の伸張に対する抵抗を与えることにより）着用者の動作に抵抗し、その動作の効率を低下
させる可能性がある。
たとえば、アイスホッケーおよびゴルフの場合、動作のバックスイングおよびフォワー
ドスイングのいずれかまたは両方に対して（振りの範囲を抑制しかつ／または振りによっ
て発生する力を部分的に打ち消すことにより）逆らって作用することにより、シャツによ
って加えられるこの抵抗が、競技者の振りおよびショットのパワーおよび精度に顕著な影
響を与える可能性がある。
対称に製作された衣服はまた、特定の方向における衣服の繰り返される伸張または変形
を考慮しないことにより、繰り返される伸張／変形の位置でまたはその近くで摩耗し最終
的に裂けるかまたは他の方法で機能しなくなる傾向もあり得る。
【発明の概要】
【発明が解決しようとする課題】
【０００６】
上述したことから、非対称の運動動作中に衣服材料が着用者に加える抵抗を低減するよ
うに特に適合され、それにより非対称の動きの効率を向上させ、たとえば競技者が動きの
間に発生することができる力の増大を容易にする、衣服が必要とされている。したがって
、本発明は、非対称の運動動作中に競技者の動きをサポートする、改善された衣服と関連
する設計、製造および使用方法とに関する。
【課題を解決するための手段】
【０００７】
本発明の一態様は、
着用者の首のための首開口部および着用者の胴の下方部分のための胴開口部を有する胴
部と、
着用者の第１腕の少なくとも一部を覆う第１袖であって、その第１端において胴部と隣
接しかつその第２端において着用者の腕を通すための開口部を有する第１袖と、
着用者の第２腕の少なくとも一部を覆う第２袖であって、その第１端において胴部と隣
接しかつその第２端において着用者の腕を通すための開口部を有する第２袖と
を含む、着用者の上半身の少なくとも一部用の非対称衣服を含む。
本衣服は、第１袖の少なくとも一部と胴部の少なくとも一部とを含むか、または本質的
にそれらから構成される第１材料部分をさらに含み、第１材料部分は、第１材料を含むか
または第１材料から本質的に構成される。
本衣服はまた、第２袖の少なくとも一部と第２袖に近接する胴部の少なくとも一部とを
含むかまたは、本質的にそれらから構成される第２材料部分も含み、第２材料部分は、第
１材料より伸張に対して小さい抵抗を提供し、それにより非対称の運動動作中に着用者の
動きに対する抵抗を低減するように適合された第２材料を含むか、または本質的にそれか
ら構成される。
【０００８】
一実施形態では、第２材料部分は、胴部の背面部をさらに含み、背面部は、その背面部
を下って首開口部から胴開口部に向かって、場合によっては胴開口部まで、実質的に垂直
に延在することができる。
一実施形態では、第２材料部分は、第２袖に近接する胴部の側の少なくとも一部の周囲
に延在する側方部を含み、側方部は、たとえば、胴部の背面から胴部の正面までらせん状
に下方に延在することができる。
第２材料部分は、第２材料の単体の広がりか、または連続した広がりを形成するように
接続された第２材料の複数の部分を含むことができる。
第２材料部分はまた、複数の間隔を空けて配置された材料部分を含むことができる。
【０００９】
第１袖および第２袖は、ラグラン袖を含むことができる。
第１材料部分を、たとえばナイロン糸を含むことができる扁平縫い（ｆｌａｔ−ｌｏｃｋ  ｓｔｉｔｃｈ）
によって第２材料部分に縫合することができる。
一実施形態では、第１材料は、吸水拡散特性（ｗｉｃｋｉｎｇ  ｐｒｏｐｅｒｔｙ）および冷却特性（ｃｏｏｌｉ
ｎｇ  ｐｒｏｐｅｒｔｙ）のうちの少なくとも一方を提供するように適合された材料を含む。
第１材料は、木綿、ポリエステル、ナイロン、スパンデックス、またはそれらの材料の
うちの２つ以上の組合せ（たとえば、木綿−スパンデックス混紡、ポリエステル−スパン
デックス混紡および／またはナイロン−スパンデックス混紡）を含むかまたは本質的にそ
れから構成されることが可能であり、たとえば、丸編みもしくはたて編み構造のいずれか
で、超伸縮性および回復性のために、スパンデックスを含むポリエステルまたはナイロン
を含むことができる。
第２材料もまた、木綿、ポリエステル、ナイロン、スパンデックス、またはそれらの材
料のうちの２つ以上の組合せ（たとえば、木綿−スパンデックス混紡、ポリエステル−ス
パンデックス混紡および／またはナイロン−スパンデックス混紡）を含むかまたは本質的
にそれから構成されることが可能であり、たとえば、丸編みもしくはたて編み構造のいず
れかで、超伸縮性および回復性のために、スパンデックスを含むポリエステルまたはナイ
ロンを含むことができる。
第２材料を、第１材料と異なる材料または材料の組合せから形成することができ、かつ
／または第１材料と異なる特性、織りおよび／または配向で形成することができる。
一実施形態では、第１材料および第２材料は、含まれるスパンデックスの比率が異なる
、木綿−スパンデックス混紡、ポリエステル−スパンデックス混紡またはナイロン−スパ
ンデックス混紡を含む。
一実施形態では、第２材料は、限られた数の方向、たとえば一方向にのみ優先的に伸張
するように適合されている。
【００１０】
一実施形態では、本衣服は第３材料部分を含み、第３材料部分は、第１袖の少なくとも
一部と第１袖に近接する胴部の少なくとも一部とを含むかまたはそれらから本質的に構成
されている。
第３材料部分は、第１材料かまたは異なる第３材料を含むかまたはそれから本質的に構
成され得る。
第３材料部分はまた、胴部の背面を下って実質的に垂直に延在する背面部と、第１袖に
近接する胴部の側の少なくとも一部の周囲にらせん状に延在する側方部とのうちの少なく
とも一方を含むことができる。
第３材料部分を、衣服の中心垂直軸を中心に第２材料部分と実質的に対称にまたは非対
称に配置することができる。
【００１１】
衣服の一実施形態は、衣服の少なくとも一部、たとえば衣服の少なくとも一方の肩また
は肘の上に延在するかまたは下に位置する、１つまたは複数の支持要素を含むことができ
る。
１つまたは複数の支持要素は、たとえば第１材料、第２材料または異なる第３材料の、
１つまたは複数の補強要素を含むことができる。
１つまたは複数の支持要素は、衣服の外面に、ポリマー要素等の１種または複数種の滑
り止め材料を含むことができ、滑り止め要素は、シリコーンもしくはゴムまたは同様の性
能を有するこうした他の材料を含むかまたはそれから本質的に構成され得る。
【００１２】
本衣服は、非対称の運動動作中に着用者の動きをサポートするように適合された１つま
たは複数の弾性要素を含むことができる。
１つまたは複数の弾性要素は、たとえば、着用者の身体の一部の第１動きの下で弾性伸
びによってエネルギーを蓄積し、身体のその部分の実質的に反対方向の第２動きの下で、
蓄積されたエネルギーを放出するように、衣服の第１領域に配置可能であり得る。
【００１３】
本発明の別の態様は、運動動作中に競技者の動きをサポートする方法に関する。
本方法は、
競技者の身体部分であって、非対称の運動動作中に競技者が着用する衣類によって身体
部分の動きに対する抵抗を受ける身体部分を特定するステップと、
運動動作中に身体部分の動きに対する抵抗を低減するように適合された非対称衣服を提
供するステップと
を含む。
衣服は、衣服の第１部分を含むかまたはそれから本質的に構成される第１材料部分を含
み、第１材料部分は第１材料を含むかまたはそれから本質的に構成される。
衣服はまた、衣服の第２部分を含むかまたはそれから本質的に構成される第２材料部分
も含み、第２材料部分は、第１材料より伸張に対する低い抵抗を提供するように適合され
た第２材料を含むかまたはそれから本質的に構成され、衣服の第２部分は、抵抗を受ける
身体部分を少なくとも部分的に覆う。
【００１４】
一実施形態では、非対称衣服は、
着用者の首のための首開口部および着用者の胴部の下方部分のための胴部開口部を有す
る胴部と、
着用者の第１腕の少なくとも一部を覆う第１袖であって、その第１端において胴部と隣
接し、かつその第２端において着用者の手を通すための開口部を有する第１袖と、
着用者の第２腕の少なくとも一部を覆う第２袖であって、その第１端において胴部と隣
接し、その第２端において着用者の手を通す開口部を有する第２袖と
を含む。
第１材料部分は、第１袖と胴部の少なくとも第１部分とを含むことができ、
第２材料部分は、第２袖の少なくとも一部と第２袖に近接する胴部の少なくとも第２部
分とを含むことができる。
【００１５】
本発明の別の態様は、着用者の下半身の少なくとも一部用の非対称衣服を含む。
本衣服は、
着用者の胴の下方部分のための胴開口部を有する胴部と、
着用者の第１脚の少なくとも一部を覆う第１脚部であって、その第１端において胴部に
接続されかつその第２端において着用者の脚を通すための開口部を有する第１脚部と、
着用者の第２脚の少なくとも一部を覆う第２脚部であって、その第１端において胴部に
接続されかつその第２端において着用者の脚を通すための開口部を有する第２脚部と
を含む。
本衣服は、第１脚部の少なくとも一部と胴部の少なくとも一部とを含むかまたはそれら
から本質的に構成される第１材料部分をさらに含み、第１材料部分は第１材料を含む。
本衣服はまた、第２脚部の少なくとも一部と第２脚部に近接する胴部の少なくとも一部
とを含むかまたはそれらから本質的に構成される第２材料部分も含み、第２材料部分は、
第１材料より伸張に対する小さい抵抗を提供し、それにより非対称の運動動作中に着用者
の動きに対する抵抗を低減するように適合されている第２材料を含む。
【００１６】
本発明のさらなる態様は、衣服の第１部分を形成するとともに、第１材料を含む第１材
料部分と、衣服の第２部分を形成するとともに、第２材料を含む第２材料部分とを含む、
着用者の身体の少なくとも一部用の非対称衣服を含む。
第１材料部分および第２材料部分は、衣服の中心垂直平面に対して非対称に配置され、
第２材料は、第１材料より伸張またはねじれのうちの少なくとも一方に対して小さい抵抗
を提供し、それにより非対称の運動動作中に着用者の動きに対する抵抗を低減するように
適合されている。
【００１７】
これらの目的および他の目的は、本明細書に開示した本発明の利点および特徴とともに
、以下の説明、添付図面および特許請求の範囲を参照することによってより明らかとなろ
う。さらに、本明細書に記載するさまざまな実施形態の特徴は、相互に排他的ではなく、
さまざまな組合せおよび並べ替えで存在することができることが理解されるべきである。
例えば、本願は以下の項目を提供する。
（項目１）
着用者の上半身の少なくとも一部用の非対称衣服であって、
胴部と、
第１袖と、
第２袖と、
前記第１袖の少なくとも一部および前記胴部の少なくとも一部を含む第１材料部分であ
って、第１材料を含む第１材料部分と、
前記第２袖の少なくとも一部と前記第２袖に近接する前記胴部の少なくとも一部とを含
む第２材料部分であって、前記第１材料より伸張に対して小さい抵抗を提供し、それによ
り非対称の運動動作中に着用者の動きに対する抵抗を低減するように適合された第２材料
を含む、第２材料部分と、
を具備する衣服。
（項目２）
（ｉ）前記胴部が、前記着用者の首のための首開口部と、前記着用者の胴の下方部分の
ための胴開口部とを備え、
（ｉｉ）前記第１袖が前記着用者の第１腕の少なくとも一部を覆い、前記第１袖が、第
１端において前記胴部と隣接し、かつ第２端において着用者の手を通すための開口部を有
し、
（ｉｉｉ）前記第２袖が、前記着用者の第２腕の少なくとも一部を覆い、前記第２袖が
、第１端において前記胴部と隣接し、第２端において着用者の手を通す開口部を有する、
前記項目１に記載の衣服。
（項目３）
前記第２材料部分が、前記胴部の背面部を含む、項目１に記載の衣服。
（項目４）
前記背面部が、前記背面を下って前記首開口部から前記胴開口部に向かって実質的に垂
直に延在している、項目３に記載の衣服。
（項目５）
前記第２材料部分が、前記第２袖に近接する前記胴部の側の少なくとも一部の周囲に延
在する側方部をさらに備える、項目１に記載の衣服。
（項目６）
前記第２材料部分が前記第２材料の単体の広がりを含む、項目１に記載の衣服。
（項目７）
前記第２材料部分が、連続した広がりを形成するように接続された第２材料の複数の部
を含む、項目１に記載の衣服。
（項目８）
前記第１材料が、吸水拡散特性および冷却特性のうちの少なくとも一方を提供するよう
に適合された材料を含む、項目１に記載の衣服。
（項目９）
前記第１材料および前記第２材料のうちの少なくとも一方が、木綿、ポリエステル、ナ
イロン、スパンデックス、ポリエステル−スパンデックス混紡、ナイロン−スパンデック
ス混紡、木綿−スパンデックス混紡、またはそれらの２つ以上の材料の組合せを含む、請
求項１に記載の衣服。
（項目１０）
第３材料部分をさらに具備し、前記第３材料部分が、前記第１袖の少なくとも一部と前
記第１袖に近接する前記胴部の少なくとも一部とを含み、前記第３材料部分が第１材料を
含む、項目１に記載の衣服。
（項目１１）
前記第３材料部分が、前記胴部の背面を下って実質的に垂直に延在する背面部と、前記
第１袖に近接する前記胴部の側の少なくとも一部の周囲にらせん状に延在する側方部の少
なくとも一つをさらに備える、項目１０に記載の衣服。
（項目１２）
前記第３材料部分が、前記衣服の中心軸を中心に前記第２材料部分と実質的に対称に配
置されている、項目１０に記載の衣服。
（項目１３）
前記衣服の少なくとも一方の肩の少なくとも一部の上に延在するかまたはその下に位置
する１つまたは複数の支持要素をさらに具備する、項目１に記載の衣服。
（項目１４）
前記１つまたは複数の支持要素が、前記第１材料または前記第２材料を含む補強要素を
備える、項目１３に記載の衣服。
（項目１５）
前記１つまたは複数の支持要素が、前記衣服の外面に１つまたは複数の滑り止め要素を
備える、項目１３に記載の衣服。
（項目１６）
前記滑り止め要素が、シリコーンおよびゴムからなる群から選択されたポリマー材料を
含む、項目１５に記載の衣服。
（項目１７）
前記非対称の運動動作中に前記着用者の動きをサポートするように適合された１つまた
は複数の弾性要素をさらに具備する、項目１に記載の衣服。
（項目１８）
前記１つまたは複数の弾性要素が、前記着用者の前記身体の一部の第１動きの下で弾性
伸びによってエネルギーを蓄積し、前記身体の前記部分の反対方向における第２動きの下
で、前記蓄積されたエネルギーを放出するように、前記衣服の第１領域に配置可能である
、項目１７に記載の衣服。
（項目１９）
運動動作中に競技者の動きをサポートする方法であって、
競技者の身体部分で、非対称の運動動作中に前記競技者が着用する衣類によって前記身
体部分の動きに対する抵抗を受ける身体部分を特定するステップと、
前記運動動作中に前記身体部分の前記動きに対する前記抵抗を低減するように適合され
た非対称衣服を提供するステップであって、前記衣服が、
前記衣服の第１部分を含む第１材料部分であって、第１材料を含む第１材料部分と、
前記衣服の第２部分を含む第２材料部分であって、前記第１材料より伸張に対する小
さい抵抗を提供するように適合された第２材料を含み、前記衣服の前記第２部分が、抵抗
を受ける前記身体部分を少なくとも部分的に覆う、第２材料部分と、
を備える、
ステップと、
を含む方法。
（項目２０）
着用者の身体の少なくとも一部用の非対称衣服であって、
前記衣服の第１部分を含む第１材料部分であって、第１材料を含む第１材料部分と、
前記衣服の第２部分を含む第２材料部分であって、第２材料を含み、（ｉ）前記第１材
料部分および前記第２材料部分が、前記衣服の中心垂直平面に対して非対称に配置され、
（ｉｉ）前記第２材料が、前記第１材料より伸張またはねじれのうちの少なくとも一方に
対して小さい抵抗を提供し、それにより非対称の運動動作中に前記着用者の動きに対する
抵抗を低減するように適合されている、第２材料部分と、
を具備する衣服。
【００１８】
図面では、種々の図を通して、同様の参照文字が概して同じ部分を指している。また、
図面は必ずしも正確な縮尺ではなく、代りに、本発明の原理を例示することに重きが置か
れている。以下の説明において、本発明のさまざまな実施形態は、以下の図面を参照して
記載されている。
【図面の簡単な説明】
【００１９】
【図１Ａ】ショットを打っているアイスホッケー選手の図面である。
【図１Ｂ】ショットを打っているゴルファーの図面である。
【図１Ｃ】投球している野球のピッチャーの図面である。
【図１Ｄ】スイング中の野球のバッターの図面である。
【図２Ａ】本発明の一実施形態による、着用者の上半身用の長袖非対称衣服の正面図である。
【図２Ｂ】図２Ａの非対称衣服の背面図である。
【図３Ａ】本発明の一実施形態による、着用者の上半身用の別の長袖非対称衣服の正面図である。
【図３Ｂ】図３Ａの非対称衣服の背面図である。
【図４Ａ】本発明の一実施形態による、着用者の上半身用の半袖非対称衣服の正面図である。
【図４Ｂ】図４Ａの非対称衣服の背面図である。
【図５Ａ】本発明の一実施形態による、着用者の上半身の袖なし非対称衣服の正面図である。
【図５Ｂ】図５Ａの非対称衣服の背面図である。
【図６Ａ】本発明の一実施形態による、着用者の上半身用の別の長袖非対称衣服の正面図である。
【図６Ｂ】図６Ａの非対称衣服の背面図である。
【図７Ａ】本発明の一実施形態による、着用者の上半身用の別の非対称衣服の正面図である。
【図７Ｂ】図７Ａの非対称衣服の背面図である。
【図８Ａ】本発明の一実施形態による、第２材料の単体の広がりを有する着用者の上半身用の非対称衣服の正面図である。
【図８Ｂ】図８Ａの非対称衣服の背面図である。
【図９Ａ】本発明の一実施形態による、第２材料の複数の間隔を空けて配置された領域を有する着用者の上半身用の非対称衣服の正面図である。
【図９Ｂ】図９Ａの非対称衣服の背面図である。
【図１０Ａ】本発明の一実施形態による、第２材料の複数の間隔を空けて配置された領域を有する着用者の上半身用の別の非対称衣服の正面図である。
【図１０Ｂ】図１０Ａの非対称衣服の背面図である。
【図１１Ａ】本発明の一実施形態による、衣服の背面および側方にのみ延在する第２材料の広がりを有する着用者の上半身用の非対称衣服の正面図である。
【図１１Ｂ】図１１Ａの非対称衣服の背面図である。
【図１２Ａ】本発明の一実施形態による、ラグラン袖を有する着用者の上半身用の非対称衣服の正面図である。
【図１２Ｂ】図１２Ａの非対称衣服の背面図である。
【図１３Ａ】本発明の一実施形態による、着用者の上半身用の別の非対称衣服の正面図である。
【図１３Ｂ】図１３Ａの非対称衣服の背面図である。
【図１４Ａ】本発明の一実施形態による、着用者の上半身用の別の非対称衣服の正面図である。
【図１４Ｂ】図１４Ａの非対称衣服の背面図である。
【図１５Ａ】本発明の一実施形態による、着用者の上半身用の別の非対称衣服の正面図である。
【図１５Ｂ】図１５Ａの非対称衣服の背面図である。
【図１６Ａ】本発明の一実施形態による、第１材料部分、第２材料部分および第３材料部分を有する着用者の上半身用の非対称衣服の正面図である。
【図１６Ｂ】図１６Ａの非対称衣服の背面図である。
【図１７Ａ】本発明の一実施形態による、上にサポート要素を有する着用者の上半身用の非対称衣服の正面図である。
【図１７Ｂ】図１７Ａの非対称衣服の背面図である。
【図１８Ａ】本発明の一実施形態による、上に弾性要素を有する着用者の上半身用の非対称衣服の正面図である。
【図１８Ｂ】図１８Ａの非対称衣服の背面図である。
【図１９Ａ】本発明の一実施形態による、着用者の上半身用の別の非対称衣服の正面図である。
【図１９Ｂ】図１９Ａの非対称衣服の背面図である。
【図２０Ａ】本発明の一実施形態による、着用者の下半身用の非対称衣服の正面図である。
【図２０Ｂ】図２０Ａの非対称衣服の背面図である。
【発明を実施するための形態】
【００２０】
本明細書に記載する発明は、概して、非対称の運動動作中に競技者の動きをサポートす
る改善された衣服に関する。これは、たとえば、衣服によって与えられる、動きに対する
抵抗（たとえば、伸びおよび／またはねじりに対する抵抗）を低減し、かつ／または着用
者の所定の動きに対するサポートを提供するように特に適合された１種または複数種の材
料で、注意深く選択された部分が形成されるように、衣服を構成することによって、達成
することができる。
こうした衣服を使用して、たとえば投球、蹴り、打撃および／または回転を含む運動動
作に対する抵抗を低減し、かつそうした運動動作をサポートすることができる。こうした
非対称動作を利用するスポーツとしては、限定されないが、アイスホッケー、フィールド
ホッケー、ラクロス、野球、ソフトボール、バスケットボール、フットボール、サッカー
、ラケットスポーツ（たとえば、テニス、バドミントン、スカッシュ、ラケットボール等
）、ゴルフ、陸上競技（たとえば、やり投げ、砲丸投げ、円盤投げ、ハンマー、棒高跳び
、ハードル競技等）、ハンドボール、クリケット、水球、ハーリングおよびアーチェリー
が挙げられる。
【００２１】
さまざまな衣服に、こうした非対称に配置された材料構成を提供することにより、競技
者のあらゆる適切な筋肉群および／または身体部分を利用する非対称動作のパフォーマン
スを向上させることができる。
着用者の上半身用の衣服例としては、限定されないが、長袖シャツ、七分袖シャツ、半
袖シャツ、袖なしシャツ、タンクトップ、アームスリーブおよび／またはスポーツブラが
挙げられる。
着用者の下半身用の衣服例としては、限定されないが、ズボン、タイツ、ショーツ、レ
ッグスリーブおよび／またはソックスが挙げられる。
着用者の上半身および下半身の両方の一部を覆う衣服（たとえばジャンプスーツ）に、
非対称に配置された材料構成を適用することも可能である。
こうした衣服を、ゆったり、「ぴったり合う（ｃｌｏｓｅ−ｔｏ−ｂｏｄｙ）」すなわちぴったりフィット（ｓｎｕｇ−ｆｉｔｔｉｎｇ）する、またはさらには着圧フィットであるように設計することができる。
【００２２】
本発明の一態様は、非対称の運動動作に対する抵抗を低減し場合によっては最小限にす
るように特に設計された衣服を含み、いくつかの実施形態では、さらには動作をサポート
するエネルギーを蓄積しかつ放出し、それにより競技者の動きの効率を実質的に向上させ
る。
たとえば、本発明によるさまざまな衣服は、繰り返される非対称の動きの間に最も伸張
および歪みを受ける衣服の目標部分における（かつ／または所定方向における）さらなる
伸張を（抵抗を低減して）可能にするように、本体または着用者（ｂｏｄｙ  ｏｒ  ａ  ｗｅａｒｅｒ）の上に非対称に配置された材料部分を含む。
これらの衣服は、たとえば、衣服の大部分を構成する１種または複数種の第１材料（ｏｎｅ  ｏｒ  ｍｏｒｅ  ｆｉｒｓｔ  ｍａｔｅｒｉａｌｓ）を含むことができ、衣服の注意深く選択された部分が１種または複数種の第２材料または動き促進材料から構成される。１種または複数種の第２材料または動き促進材料は、１種または複数種の第１材料とは異なる構造的特性を有している
。
一実施形態では、１種または複数種の第２材料は、１つまたは複数の方向における変形
（たとえば伸張）に対して、１種または複数種の第１材料よりも小さい抵抗を提供するこ
とができる。
第２材料は、さらに、または別法として、第１材料より軽量であり、より弾性を有し、
より強力であり、かつ／またはより低い摩擦係数を有することが可能である。
第２材料は、衣服の左側、衣服の右側、または衣服の両側に配置され得る。
さまざまな実施形態では、第２材料は、さらに、もしくは別法として、衣服の正面、側
方または背面のみに配置され得る。
繰り返される非対称の運動動作に対する抵抗を低減し場合によっては最小限にするよう
に特に設計された衣服を提供することにより、衣服の耐摩耗性を増大させることも可能で
あり、それにより、衣服がその構造的完全性、それにより機能性をより長く維持すること
ができる。
【００２３】
第２材料から構成された衣服の領域は、非対称動作中に著しい動きを受ける着用者の身
体部分の上にかつ／またはそれに隣接して配置され得る。
たとえば、アイスホッケー選手に対して力の発生をもたらす肩領域（たとえば、右打ち
の場合は右肩）が、伸張に対して最小の抵抗を提供する第２材料から構成されるかまたは
部分的に構成されたシャツによって覆うことができる。結果として、ホッケースティック
が引き戻され、その後前方に突き出される際に、シャツの材料によるショットに対する抵
抗が最小限になる。
シャツの残りの部分を、１種または複数種の第１材料から構成することができ、第１材
料は、限定されないが耐久性、温かさ、保護、スタイル等の目的に対して選択される。
【００２４】
衣服を、衣服の大部分にわたって１種または複数種の第１材料で構成するとともに、着
用者のパフォーマンスを向上させるように選択された特に目標とされた部分にのみ１種ま
たは複数種の第２材料で構成することにより、
コスト、耐久性、温かさ、保護、スタイル等に対して衣服を最適化しながら、依然とし
て着用者が繰り返し行う非対称動作をサポートすることができる。
衣服を摩擦係数が異なる種々の材料部分で構成することにより、
摩擦係数が大きい方の部分（すなわち、第１材料部分）が、着用者の皮膚または衣服下
をしっかりつかむことができ、
一方で摩擦係数の低い方の部分（すなわち、第２材料部分）が、着用者の皮膚または衣
服下の上を滑り、それにより着用者の身体のその部分を伸ばす、ねじるまたは広げること
に対して抵抗する可能性がある著しい摩擦力をもたらすことがない。
こうした構成は、たとえば、限定されないがホッケーシューティングシャツ等のスポー
ツ衣服用の材料部分に使用するのに有利であり得る。
【００２５】
さまざまな実施形態では、衣服の一部を形成する１種または複数種の第１材料および／
または第２材料は、限定されないが、木綿、ポリエステル、ナイロン、スパンデックス、
またはそれら材料のうちの２種以上の組合せ等の材料を含むことができる。
たとえば、第１材料および／または第２材料を、たとえば、丸編みもしくはたて編み構
造のいずれかでの超伸縮性および回復性のためにスパンデックスを含む木綿、ポリエステ
ルまたはナイロン等、木綿−スパンデックス混紡、ポリエステル−スパンデックス混紡お
よび／またはナイロン−スパンデックス混紡から形成することができる。
代替実施形態では、他の適切な編み構造を利用することができる。
第２材料を、第１材料とは異なる材料または材料の組合せから形成することができ、か
つ／または第１材料とは異なる材料の特性、織りおよび／または配向で形成することがで
きる。
【００２６】
一実施形態では、第１材料および第２材料は、含まれるスパンデックスの比率が異なる
、木綿−スパンデックス混紡、ポリエステル−スパンデックス混紡またはナイロン−スパ
ンデックス混紡を含む。たとえば、第１材料よりスパンデックスの比率が高い混紡から第
２材料を形成することにより、第２材料は、非対称の運動動作に対する抵抗を低減するよ
うにより高い伸張度を可能にする。
一実施形態では、第２材料は、限られた数の方向において、たとえば一方向のみにおい
て優先的に伸張するように適合される。
第１材料および第２材料を、競技者の非対称動作に対して必要なサポートを提供しなが
ら、競技者がスポーツに参加している間に行うあらゆる対称動作（たとえばランニングま
たはスケーティング）を実質的に妨げないように選択することができる。
【００２７】
第２材料を、全方向において等しく伸張するように適合させることができ、それにより
、競技者の動きをサポートする第２材料部分の多方向の伸張および変形が可能になる。
別法として、第２材料を、限られた数の方向において、さらには一方向のみにおいて優
先的に伸張するように適合させることができ、それにより衣服の限られた方向のみにおけ
る所定の伸張がサポートされる。
一方向のみにおいて（または限られた数の所定方向において）優先的に伸張することに
より、本衣服を使用して、競技者が所定方向（すなわち第２材料から最小の抵抗をもたら
す方向）に回転しかつ／または伸びるのを促進することができ、それにより、衣服に対し
てトレーニング機能を提供する可能性がある。結果として、選択的に伸張可能な第２材料
部分の注意深い位置決めおよび方向付けにより、着用者が、非対称動作を行っている時に
所定方向および方法で動くのを能動的に促進することができ、この所望の方向は、非対称
の動きを行っている着用者の最適な動作に対応する。
【００２８】
さまざまな実施形態では、第１材料および／または第２材料を、吸水拡散型機能および
／または冷却型機能を提供するように選択することができる。たとえば、第１材料および
／または第２材料を、着用者の皮膚から湿気（たとえば汗）を吸水拡散することを促進す
る吸水拡散材料とすることができ、それにより、運動活動中に着用者の冷却を促進するこ
とができる。
さらに、または別法として、衣服材料のうちの１つまたは複数を、熱を放出し、湿気お
よび汗を制御し、蒸発効果により着用者の冷却を促進するように特に設計された１種また
は複数種の材料（たとえばＸｙｌｉｔｏｌ）で処理するかまたはそうした材料を染み込ま
せることができる。着用者を冷却する材料例は、Ｗａｒｒｅｎ  ＭＩのＷａｒｒｉｏｒ  
Ｓｐｏｒｔｓ，Ｉｎｃ．のＣｈｉｌｌ  Ｗａｖｅである。
さまざまな実施形態では、衣服における材料のうちの１つまたは複数を、抗菌剤で処理
して、衣服に抗菌性の利益または抗真菌性の利益を提供することができる。
【００２９】
本発明のさまざまな実施形態では、衣服を構成する材料を、限定されないが縫合および
／または熱溶接、接着もしくはシームレス接着構造を含むあらゆる適切な手段によって接
続することができる。異なる材料部分の間の接続はまた、あるいは別法として、シームテ
ープまたは他の別個の接着要素の使用を含むことができる。一実施形態では、第１材料部
分および第２材料部分は、扁平縫いによって縫合される。扁平縫いを、たとえばナイロン
糸から形成することができる。
【００３０】
着用者の上半身を覆うように設計された非対称衣服１００を含む本発明の一実施形態を
図２Ａおよび図２Ｂに示す。
この実施形態では、衣服１００は、胴部１０５、第１袖１１０および第２袖１１５を含
む。さまざまな実施形態では、袖は、トラディショナルな袖またはラグラン袖であり得る。
胴部１０５は、着用者の首のための首開口部１２０と、着用者の腰の領域における着用
者の胴の下方部分のための胴開口部１２５とを含む。
第１袖１１０は、第１端１３０で着用者の肩の領域において胴部１０５に接続されてお
り、第２端１３５で着用者の手首の領域において着用者の手のための開口部を有している
。同様に、第２袖１１５は、第１端１４０で着用者の肩の領域において胴部１０５に接続
され、第２端１４５で着用者の手首の領域において着用者の手のための開口部を有してい
る。
【００３１】
衣服１００は、第１袖１１０の少なくとも一部および胴部１０５の少なくとも一部を形
成する第１材料部分１５０と、第２袖１１５の少なくとも一部および第２袖１１５に近接
する胴部１０５の少なくとも一部を形成する第２材料部分１５５とを含む。
第２材料部分１５５は、第１材料部分１５０を形成する材料より伸張、ねじれおよび／
または他の変形に対して小さい抵抗を提供するように適合された材料から構成され、それ
により、着用者の非対称の肩および腕の動作（たとえば、アイスホッケーのスティック、
野球のバット、テニスラケット等を振る、または野球用ボールまたはフットボール用ボー
ル等の物体を投げる）に対する抵抗を低減する。
【００３２】
第２袖１１５を、完全に第２材料から形成することができる。
別法として、第２袖１１５の一部（限定されないが、第１端１４０に近接する上方部分
、胴部１０５に近接する内側、および／または胴部１０５から離れた外側等）のみを、第
２材料から形成することができる。第２袖１１５の一部のみが第２材料から形成された実
施形態例を図３Ａおよび図３Ｂに示す。
さまざまな実施形態では、衣服１００は、図２Ａ〜図３Ｂに示すように長袖、図４Ａお
よび図４Ｂに示すように七分袖、半袖、または図５Ａおよび図５Ｂに示すように袖なしで
あり得る。
【００３３】
図２Ａおよび図２Ｂの実施形態では、第２材料部分１５５は、胴部１０５の正面１７５
および背面１８０の少なくとも一部にわたって延在する肩部１６０を含む。
肩部１６０を、あらゆる適切なサイズおよび形状とすることができ、着用者のあらゆる
適切な身体部分および／または筋肉群にわたって延在するように適合させることができる。
さまざまな実施形態では、肩部１６０は、衣服１００の正面１７５より背面１８０の方
が広い領域にわたって延在することができ、またはその逆もあり得る。肩部１６０を、衣
服１００の背面１８０に、正面１７５と比較して異なるように成形することができる。
【００３４】
衣服１００の一実施形態では、図６Ａおよび図６Ｂに示すように、第２材料部分１５５
は、肩部１６０から胴部１０５の背面１８０を実質的に垂直に下って延在する背面部１６
５を含むことができ、それにより、第２材料は、首開口部１２０から下方胴開口部１２５
まで延在する。
背面部１６５は、垂直に、実質的に垂直に、または垂直平面に対して鋭角に延在するこ
とができる。背面部１６５を、第２材料の単一の広がりから、または第２材料の複数の部
分から形成することができる。一実施形態では、背面部１６５は、衣服１００の背面１８
０に延在する複数の平行な部分、実質的に平行な部分または非平行な部分を含むことがで
きる。背面部１６５を形成する複数の部分を、衣服１００の中心垂直平面１８５を中心に
対称にまたは非対称に配置することができる。
【００３５】
一実施形態では、背面部１６５は、衣服１００の背面１８０を部分的にのみ下って延在
することができ、首開口部１２０から、胴開口部１２５から、または首開口部１２０と胴
開口部１２５との間の中間領域に延在することができる。衣服１００の背面１８０を部分
的にのみ下って延在する背面部１６５を含む第２材料部分１５５を有する衣服１００の例
を図７Ａおよび図７Ｂに示す。
背面部１６５は、あらゆる適切な幅および形状であり得る。背面部１６５または複数の
背面部は、第２材料の他の部分に隣接することができ、または第１材料によって包囲され
る別個の部分であり得る。一実施形態では、背面部１６５は、胴部１０５の背面１８０の
大部分または実質的に全体を覆うことができる。
【００３６】
図６Ａおよび図６Ｂに示すように、第２材料部分１５５は、衣服１００の第２袖１１５
側の胴部１０５の側方１７０の少なくとも一部の周囲に延在する側方部１９０を含むこと
も可能である。側方部１９０は、胴部１０５の背面１８０から胴部１０５の正面１７５ま
でらせん状に下方に延在している。側方部１９０は、衣服１００の背面１８０（側方部１
９０が衣服１００の背面１８０に配置された第２材料と隣接する場所）の第１幅から実質
的に衣服１００の正面１７５のある箇所まで先細りになっている。
【００３７】
代替実施形態では、側方部１９０は、第１幅から第２幅まで異なる程度で先細りになる
か、その範囲の一部またはすべてにわたって一定の幅であるか、またはその範囲にわたっ
て他のあらゆる適切な方法で幅が変化することができる。
側方部１９０は、水平平面に対してあらゆる鋭角で延在することができ、または水平に
もしくは実質的に水平に延在することができる。代替実施形態では、側方部１９０は、衣
服１００の１つまたは複数の側方１７０を下って垂直にまたは実質的に垂直に延在するこ
とができる。側方部１９０は、あらゆる適切な長さおよび幅であることが可能であり、胴
の側方１７０のあらゆる適切な部分にわたって延在することができる。側方部１９０また
は複数の側方部は、第２材料の他の部分に隣接することができ、または第１材料によって
包囲される別個の部分であり得る。側方部１９０を、第２材料の単一の広がりから、また
は第２材料の複数の部分から形成することができる。
【００３８】
一実施形態では、側方部１９０は、衣服１００の側方の周囲に延在する複数の平行な部
分、実質的に平行な部分、または非平行な部分を含むことができる。第２袖１１５に近接
する衣服１００の側方１７０を中心に平行にらせん状に延在する複数の側方部１９０を含
む第２材料部分１５５を有する衣服例を図７Ａおよび図７Ｂに示す。
【００３９】
一実施形態では、第２材料部分１５５は、たとえば図２Ａおよび図２Ｂに示すように、
連続した広がりを形成するように接続された第２材料の複数の部分から形成されている。
代替実施形態では、第２材料部分１５５は、たとえば図８Ａおよび図８Ｂに示すように、
第２材料の単一の単体の広がりとして形成されている。第２材料の単一の単体の広がりを
、たとえば平坦な１枚として形成し、その後１つまたは複数の継目で縫合して衣服の完成
した部分を形成することができる。
【００４０】
一実施形態では、第２材料部分１５５は、第２材料の複数の別個の部分を含むことがで
き、それらの間に第１材料または他の材料が間隔を空けて配置されている。第２材料部分
１５５が複数の間隔を空けて配置された部分を含み、第１材料１５０がそれらの間に延在
している衣服１００例を図９Ａおよび図９Ｂに示す。さらなる実施形態は、衣服に必要な
所定の機能に応じて、別個の要素の組合せ、複数部の要素、および／または単体要素を含
むことができる。
【００４１】
第２材料部分１５５を、衣服１００の一方の側にのみ（すなわち、中心垂直平面１８５
の一方の側にのみ、または実質的に一方の側にのみ延在して）配置することができる。
別法として、第２材料部分１５５を、衣服１００の両側に、たとえば肩および／または
腕の両方に、かつ／または胴部１０５の両側に、非対称の第２材料部分１５５があるよう
に非対称に配置することができる。
衣服１００の両側にわたって延在する第２材料部分１５５を有する実施形態例を図１０
Ａおよび図１０Ｂ示す。この実施形態では、第２材料部分１５５は、右肩部分１９５、右
側方部分２００、左肩部分２０５および左側方部分２１０を含み、左側および右側は互い
に対して非対称に配置されて、衣服１００の左側および右側両方の動きおよび伸張を含む
着用者の非対称動作を特にサポートする。
【００４２】
一実施形態では、第２材料部分１５５または複数の第２材料部分を、衣服１００の正面
、側方および／または背面に対して非対称に配置することができる。
中心垂直平面１８５に対して非対称に配置され、かつ衣服の側方１７０および背面１８
０にのみ配置された第２材料部分１５５（正面１７５には配置されず）を有する衣服１０
０例を図１１Ａおよび図１１Ｂに示す。
第２材料部分１５５は、背面部１６５、垂直側方部１９０、および肩の後側にのみ延在
する肩部１６０を含む。ここで、第２材料部分１５５は、胴部１０５にのみ位置しており
、袖（１１０、１１５）のいずれにも位置していない。
代替実施形態では、サポートしている所定の運動動作に応じて、あらゆる適切な非対称
なサイズであり、形状でありかつ非対称に配置された第２材料部分１５５を衣服１００に
組み込むことができる。
【００４３】
本発明の一実施形態では、図１２Ａおよび図１２Ｂに示すように、衣服１００の袖を、
ラグラン袖とすることができ、第１ラグラン袖２１５は第１材料から形成され、第２袖２
２０またはその一部は第２材料から形成され、それらの間に胴部２２５がある。
代替実施形態では、第１袖２１５および第２袖２２０の一方のみがラグラン袖であり得
る。
第１ラグラン袖２１５および第２袖２２０は、着用者の腕の少なくとも一部を覆う材料
の単一の広がりを含み、それは、着用者の腕から単一材料部分として、着用者の肩の上に
衣服１００の首開口部１２０のえりまで完全に延在ししている。斜めの縫目２３０が、袖
材料を衣服１００の胴２０５に接続し、わきの下から衣服１００の鎖骨部分まで延在して
いる。したがって、ラグラン袖は、着用者の腕および着用者の胴の肩部分の両方にわたっ
て延在する材料の単一の広がりを含む。
この実施形態では、第２材料部分１５５は、ラグラン袖の一方（たとえば図１２Ａおよ
び図１２Ｂに示すような右袖２２０）またはその一部を形成し、任意選択的に、胴部２０
５の少なくとも一部の上に延在する第２材料の１つまたは複数の追加の部分２３５を含む
ことができる。
【００４４】
図１３Ａおよび図１３Ｂは、第２袖１１５および肩部分１６０にわたって延在する第２
材料部分１５５を含む衣服１００を示し、背面部分２５０は、第２袖１１５から下方に延
在し、胴部１０５の側方の周囲に延在し胴開口部１２５における衣服１００の正面１７５
のある箇所まで先細りになる、らせん状に延在する側方部分２５５を形成している。
図１４Ａおよび図１４Ｂは、第２袖１１５および肩部分１６０にわたって延在する第２
材料部分１５５を含む衣服１００を示し、細長い背面部分１９０は、衣服１００の背面１
８０を下って首開口部１２０から胴開口部１２５まで垂直に延在している。
図１５Ａおよび図１５Ｂは、第２袖１１５にわたって延在している第２材料を含む第２
材料部分１５５と、らせん状に延在する側方部分２５５を含む背面部分２５０と、細長い
背面部分１９０とを含む衣服１００を示す。
【００４５】
本発明のさまざまな他の実施形態は、着用者の生理機能、サポートしている所定の非対
称動作、および必要なサポートの程度に応じて、衣服のあらゆる適切な領域にわたってあ
らゆる適切な構成で延在する第２材料部分１５５を有する衣服を含むことができる。たと
えば、１つまたは複数の第２材料部分１５５を、競技者の腕、肩、脇腹、胸、背中および
／または腰等、上半身の領域に、あらゆる適切なサイズおよび形状で配置することができ
る。
【００４６】
本発明の一実施形態は、図１６Ａおよび図１６Ｂに示すように、衣服１００の第２材料
部分１５５とは反対側に配置された第３材料部分２６０を含むことができる。
この第３材料部分２６０を、第２材料部分１５５と同様の構成で配置して、たとえば、
衣服１００の審美的外観に対してあるレベルの対称性を提供し、かつ／または衣服１００
の製造を簡略化するように衣服１００の種々の部分に実質的に対称な形状を提供すること
ができる。
たとえば、第３材料部分２６０を、第２材料部分１５５の色に一致するように（衣服１
００に対してある程度の審美的対称性を提供するように）色付けするが、第２材料とは異
なる材料から製造することができる（それにより、本発明のいくつかの実施形態で必要な
非対称材料特性を提供する）。
第３材料部分２６０を、たとえば、第１材料から、または第１材料および第２材料の両
方とは異なる材料から構成することができる。
【００４７】
図１６Ａおよび図１６Ｂの実施形態では、第３材料部分２６０は、第１袖１１０の少な
くとも一部と、第１袖１１０に近接する胴部１０５の少なくとも一部と、第１袖１１０に
隣接し左肩から下方に延在する背面部２６５と、第１袖１１０に近接する胴部の側方の少
なくとも一部の周囲にらせん状に延在する側方部２７０とを含む。
図１６Ａおよび図１６Ｂでは、らせん状に延在する側方部２７０は、衣服１００の正面
１７５にわたって、第２材料部分１５５の側方部２５５より大きい程度で延在しており（
すなわち、第２材料部分１５５の側方部２５５より、衣服１００の中心垂直平面１８５に
向かってさらに延在しており）、それにより、衣服１００に対して顕著な非対称の視覚的
態様を提供する。
代替実施形態では、第３材料部分２６０を、第２材料部分１５５と完全に対称に配置す
る（すなわち、衣服１００の中心垂直平面１８５の他方の側における第２材料部分１５５
の鏡像として配置する）ことができ、または第２材料部分１５５とあらゆる適切な非対称
の程度で配置することができる。
【００４８】
一実施形態では、第３材料部分２６０を、第１材料部分１５０および第２材料部分１５
５と比較した場合に、伸張、ねじれおよび／または他の変形に対して中間の程度の抵抗を
有する材料から形成することができる。
別法として、第３材料部分２６０を、第１材料部分１５０および第２材料部分１５５の
両方より、伸張、ねじれおよび／または他の変形に対してより大きいかまたは小さい程度
の抵抗（および／またはより小さいかもしくは大きい摩擦係数）を有する材料から形成す
ることができる。
結果として、第３材料部分２６０を、着用者が行っている所定の非対称動作に対するさ
らなるサポートおよび／または制御を提供するように特に設計することができる。
【００４９】
本発明の一実施形態では、図１７Ａおよび図１７Ｂに示すように、衣服１００は、衣服
の肩の少なくとも一部の上に延在する支持要素３００を含む。
支持要素３００は、たとえば、使用中に著しく摩耗する（たとえば、衣服１００の下に
あるかまたは上に重なる保護パッドまたは他の構造もしくは衣服に対してこすれるため）
、使用中に著しい伸張、ねじれおよび／または変形を受ける衣服１００の部分に対して補
強を提供することができ、または着用者のさまざまな身体部分に対して保護を提供するこ
とができる。
支持要素３００を、第１材料もしくは第２材料のいずれかと同じ材料から、または限定
されないがポリエステル混紡、木綿混紡もしくは他の合成繊維もしくは天然繊維等の材料
から構成することができる。
【００５０】
代替実施形態では、支持要素３００を、衣服１００の一方の肩のみの上に配置すること
ができ、または衣服１００の他のあらゆる適切な部分にわたって配置して、たとえば、使
用中に最大の変形を受ける衣服の所定領域を支持し、かつ／または使用中に著しく摩耗し
かつ／または追加の保護から利益を得る着用者の身体の所定領域（たとえば、上半身用の
衣服の肘、前腕、首、背中もしくは胸、または下半身部分用の衣服の臀部、むこうずね、
大腿部、膝もしくは背面）の上に重なることができる。
支持要素３００を、衣服１００の外面に、かつ衣服１００の内面に、または衣服１００
のさまざまな層の間に配置することができる。衣服の所定の要件に応じて、支持要素３０
０のあらゆる数および／または配置を使用することができる。
【００５１】
一実施形態では、１つまたは複数の支持要素３００を、衣服１００の外側および／また
は内側に配置して、衣服１００に滑り止め面を提供することができる。これは、たとえば
、衣服がパッドまたは他の保護服下で着用され、支持要素３００が、パッドが衣服１００
上の適所にあり続けることを確実にするように滑り止め面を提供する場合に、有利であり
得る。この実施形態では、支持要素３００を、限定されないが熱接着材料、シリコーンも
しくはゴム、またはグラフィック／印刷用途等、１つまたは複数のポリマー要素から製造
することができる。
【００５２】
一実施形態では、衣服１００は、非対称の運動動作中に着用者の動きをサポートするよ
うに適合された１つまたは複数の弾性要素３１０を含む。正面１７５に弾性要素３１０が
配置されている衣服１００例を図１８Ａおよび図１８Ｂに示す。
着用者の身体の一部の第１動きの下で弾性伸びによってエネルギーを蓄積し、身体のそ
の部分の反対方向における第２動きの下で、蓄積されたエネルギーを放出するように、衣
服１００の第１領域に弾性要素３１０を配置することができる。
結果として、弾性要素３１０は、非対称の動きの間にエネルギーを能動的に蓄積しかつ
放出して、その動きの効率を増大させかつその動きによって発生する力を場合によっては
増大させることができる。
【００５３】
弾性要素３１０を、衣服１００の外側および／または内側に配置するか、または衣服１
００の材料の２つの層の間に配置することができる。一実施形態では、弾性要素３１０を
、衣服１００の１つまたは複数の層の中に注入するかまたは他の方法で染み込ませること
ができる。さまざまな実施形態では、弾性要素３１０を、限定されないが、縫合、熱接着
、化学接着等のあらゆる適切な手段により、または注入により、衣服に付すことができる
。
【００５４】
さまざまな実施形態では、弾性要素３１０を、サポートしている所定の非対称動作に応
じて、あらゆる適切なサイズ、形状および／または向きとすることができる。弾性要素３
１０を、衣服の正面、背面および／または側方に配置することがでる。弾性要素３１０は
、第１材料、第２材料および／または第３材料の上に重なるか、それらの下に位置するか
、またはそれらに組み込まれ得る。
一実施形態では、弾性要素３１０は、支持要素３００の機能も行うことができる。
代替実施形態では、弾性要素３１０および支持要素３００は、衣服の別個の要素である。
さまざまな実施形態では、弾性要素３１０および支持要素３００を、衣服に対称にまた
は非対称に配置することができる。
【００５５】
代替実施形態では、第２材料部分を衣服に対称に配置することができ、一方で、１つま
たは複数の弾性要素３１０および／または支持要素３００は非対称に配置される。
【００５６】
非対称材料構成を組み込んだ別の衣服１００例を、図１９Ａおよび図１９Ｂに見ること
ができる。この実施形態では、第２材料部分１５５は第２袖１１５のいくつかの部分にわ
たって延在している。第２材料部分１５５は、別個の材料（たとえば第１材料部分１５０
）の中間袖部分１６４によって上方袖部分１６３から分離された下方袖部分１６２を含む
。第２材料部分１５５はまた、肩部分１６０と、衣服１００の背面１８０の実質的にすべ
てにわたって延在する背面パネル１８２を形成する背面部分１８０とを含む。代替実施形
態では、背面パネル１８２は、あらゆる適切な領域にわたって延在することができ、衣服
１００の背面１８０および／または正面１７５において、あらゆる適切な形状および構成
であり得る。
衣服１００は、胴部１０５の左側および右側の両方の周囲に延在する下方側方パネル１
９１と、第２袖１１５に近接する側において衣服１００の一方の側の周囲にのみ延在して
いる（第１材料部分１５０等の異なる材料の中間側方部分１９３によって下方側方パネル
１９１から分離した）上方側方パネル１９２とを有する側方部１９０をさらに含んでいる
。
【００５７】
上述したように、非対称材料構成をあらゆる適切な衣服に組み込んで、種々の非対称の
運動の動きをサポートすることができる。図２０Ａおよび図２０Ｂは、たとえば、胴部４
０５、第１脚４１０および第２脚４１５を有するズボンを含む衣服４００を示す。
ズボン４００は、着用者の腰の領域に着用者の胴の下方部分のための胴開口部４２０を
含み、第１脚４１０の下端の第１脚開口部４２５および第２脚４１５の下端の第２脚開口
部４３０をさらに含む。
ズボンは、衣服の大部分を構成する第１材料部分１５０をさらに含み、第２材料部分１
５５がズボン４００の所定位置に配置されて、着用者の脚の非対称動作に対する衣服によ
る抵抗を低減する。
図２０Ａおよび図２０Ｂの実施形態では、第２材料部分１５５は、背面４４０またはズ
ボン４００に配置された背面部４３５と、ズボン４００の第２脚４１５の外側４５０に配
置された側方部４４５とを含む。この実施形態では、第２材料部分１５５は、ズボン４０
０の正面４５５に配置されている。
【００５８】
上述した衣服と同様に、着用者の下半身用の衣服のさまざまな実施形態は、衣服のあら
ゆる適切な１つまたは複数の領域を覆う第２材料部分を含むことができる。さらに、着用
者の下半身用の衣服は、１つもしくは複数の支持要素および／または弾性要素を含むこと
ができる。
【００５９】
代替実施形態、および／または実施形態もしくは代替実施形態の構成で使用される材料
は、本明細書に記載した他のすべての実施形態に適用可能であることが理解されるべきで
ある。本明細書に記載した例の多くが、衣服の右側に排他的にまたは主に配置された第２
材料部分を示すが、本発明は、衣服のいずれかもしくは両方または左側および右側のおけ
る、かつ／または主に衣服の正面もしくは背面における第２材料部分の位置決めに等しく
関連する。
【００６０】
本発明を、その趣旨または本質的な特徴から逸脱することなく他の具体的な形態で具現
化することができる。したがって、上述した実施形態は、すべてに関して、本明細書に記
載した発明を限定するのではなく例示的なものであるとみなされるべきである。したがっ
て、本発明の範囲は、上述した説明によるのではなく添付の特許請求の範囲によって示さ
れ、特許請求の範囲の均等物の意味および範囲内にあるすべての変更は、本発明の範囲に
包含されるように意図されている。
【図１Ａ】
2018111915.tif 000003
【図１Ｂ】
2018111915.tif 000004
【図１Ｃ】
2018111915.tif 000005
【図１Ｄ】
2018111915.tif 000006
【図２Ａ】
2018111915.tif 000007
【図２Ｂ】
2018111915.tif 000008
【図３Ａ】
2018111915.tif 000009
【図３Ｂ】
2018111915.tif 000010
【図４Ａ】
2018111915.tif 000011
【図４Ｂ】
2018111915.tif 000012
【図５Ａ】
2018111915.tif 000013
【図５Ｂ】
2018111915.tif 000014
【図６Ａ】
2018111915.tif 000015
【図６Ｂ】
2018111915.tif 000016
【図７Ａ】
2018111915.tif 000017
【図７Ｂ】
2018111915.tif 000018
【図８Ａ】
2018111915.tif 000019
【図８Ｂ】
2018111915.tif 000020
【図９Ａ】
2018111915.tif 000021
【図９Ｂ】
2018111915.tif 000022
【図１０Ａ】
2018111915.tif 000023
【図１０Ｂ】
2018111915.tif 000024
【図１１Ａ】
2018111915.tif 000025
【図１１Ｂ】
2018111915.tif 000026
【図１２Ａ】
2018111915.tif 000027
【図１２Ｂ】
2018111915.tif 000028
【図１３Ａ】
2018111915.tif 000029
【図１３Ｂ】
2018111915.tif 000030
【図１４Ａ】
2018111915.tif 000031
【図１４Ｂ】
2018111915.tif 000032
【図１５Ａ】
2018111915.tif 000033
【図１５Ｂ】
2018111915.tif 000034
【図１６Ａ】
2018111915.tif 000035
【図１６Ｂ】
2018111915.tif 000036
【図１７Ａ】
2018111915.tif 000037
【図１７Ｂ】
2018111915.tif 000038
【図１８Ａ】
2018111915.tif 000039
【図１８Ｂ】
2018111915.tif 000040
【図１９Ａ】
2018111915.tif 000041
【図１９Ｂ】
2018111915.tif 000042
【図２０Ａ】
2018111915.tif 000043
【図２０Ｂ】
2018111915.tif 000044
【手続補正書】
【提出日】平成30年4月11日(2018.4.11)
【手続補正１】
【補正対象書類名】明細書
【補正対象項目名】００４３
【補正方法】変更
【補正の内容】
【００４３】
本発明の一実施形態では、図１２Ａおよび図１２Ｂに示すように、衣服１００の袖を、
ラグラン袖とすることができ、第１袖２１５は第１材料から形成され、第２袖２２０また
はその一部は第２材料から形成され、それらの間に胴部２２５がある。
代替実施形態では、第１袖２１５および第２袖２２０の一方のみがラグラン袖であり得
る。
第１袖２１５および第２袖２２０は、着用者の腕の少なくとも一部を覆う材料の単一の
広がりを含み、それは、着用者の腕から単一材料部分として、着用者の肩の上に衣服１０
０の首開口部１２０のえりまで完全に延在ししている。斜めの縫目２３０が、袖材料を衣
服１００の胴部２２５に接続し、わきの下から衣服１００の鎖骨部分まで延在している。
したがって、ラグラン袖は、着用者の腕および着用者の胴の肩部分の両方にわたって延在
する材料の単一の広がりを含む。
この実施形態では、第２材料部分１５５は、ラグラン袖の一方（たとえば図１２Ａおよ
び図１２Ｂに示すような第２袖２２０）またはその一部を形成し、任意選択的に、胴部２
２５の少なくとも一部の上に延在する第２材料の１つまたは複数の追加の部分２３５を含
むことができる。
【手続補正２】
【補正対象書類名】明細書
【補正対象項目名】００４４
【補正方法】変更
【補正の内容】
【００４４】
図１３Ａおよび図１３Ｂは、第２袖１１５および肩部１６０にわたって延在する第２材
料部分１５５を含む衣服１００を示し、背面部分２５０は、第２袖１１５から下方に延在
し、胴部１０５の側方の周囲に延在し胴開口部１２５における衣服１００の正面１７５の
ある箇所まで先細りになる、らせん状に延在する側方部分２５５を形成している。
図１４Ａおよび図１４Ｂは、第２袖１１５および肩部１６０にわたって延在する第２材
料部分１５５を含む衣服１００を示し、細長い背面部分１９８は、衣服１００の背面１８
０を下って首開口部１２０から胴開口部１２５まで垂直に延在している。
図１５Ａおよび図１５Ｂは、第２袖１１５にわたって延在している第２材料を含む第２
材料部分１５５と、らせん状に延在する側方部分２５５を含む背面部分２５０と、細長い
背面部分１９８とを含む衣服１００を示す。
【手続補正３】
【補正対象書類名】明細書
【補正対象項目名】００４７
【補正方法】変更
【補正の内容】
【００４７】
図１６Ａおよび図１６Ｂの実施形態では、第３材料部分２６０は、第１袖１１０の少な
くとも一部と、第１袖１１０に近接する胴部１０５の少なくとも一部と、第１袖１１０に
隣接し左肩から下方に延在する背面部２６５と、第１袖１１０に近接する胴部の側方の少
なくとも一部の周囲にらせん状に延在する側方部２７０とを含む。
図１６Ａおよび図１６Ｂでは、らせん状に延在する側方部２７０は、衣服１００の正面
１７５にわたって、第２材料部分１５５の側方部分２５５より大きい程度で延在しており
（すなわち、第２材料部分１５５の側方部分２５５より、衣服１００の中心垂直平面１８
５に向かってさらに延在しており）、それにより、衣服１００に対して顕著な非対称の視
覚的態様を提供する。
代替実施形態では、第３材料部分２６０を、第２材料部分１５５と完全に対称に配置す
る（すなわち、衣服１００の中心垂直平面１８５の他方の側における第２材料部分１５５
の鏡像として配置する）ことができ、または第２材料部分１５５とあらゆる適切な非対称
の程度で配置することができる。
【手続補正４】
【補正対象書類名】明細書
【補正対象項目名】００５７
【補正方法】変更
【補正の内容】
【００５７】
上述したように、非対称材料構成をあらゆる適切な衣服に組み込んで、種々の非対称の
運動の動きをサポートすることができる。図２０Ａおよび図２０Ｂは、たとえば、胴部４
０５、第１脚４１０および第２脚４１５を有するズボン４００を含む衣服を示す。
ズボン４００は、着用者の腰の領域に着用者の胴の下方部分のための胴開口部４２０を
含み、第１脚４１０の下端の第１脚開口部４２５および第２脚４１５の下端の第２脚開口
部４３０をさらに含む。
ズボン４００は、衣服の大部分を構成する第１材料部分１５０をさらに含み、第２材料
部分１５５がズボン４００の所定位置に配置されて、着用者の脚の非対称動作に対する衣
服による抵抗を低減する。
図２０Ａおよび図２０Ｂの実施形態では、第２材料部分１５５は、背面４４０またはズ
ボン４００に配置された背面部４３５と、ズボン４００の第２脚４１５の外側４５０に配
置された側方部４４５とを含む。この実施形態では、第２材料部分１５５は、ズボン４０
０の正面４５５に配置されている。
【手続補正５】
【補正対象書類名】図面
【補正対象項目名】図１４Ｂ
【補正方法】変更
【補正の内容】
【図１４Ｂ】
2018111915.tif 000045
【手続補正６】
【補正対象書類名】図面
【補正対象項目名】図１５Ｂ
【補正方法】変更
【補正の内容】
【図１５Ｂ】
2018111915.tif 000046
【外国語明細書】
2018111915000001.pdf